(57)【特許請求の範囲】
【請求項１】
第一回動軸と開口部を有しており、当該第一回動軸に直交する第一面内において当該第一回動軸を中心として第一方向に回動することにより第一スイッチを操作し、当該第一回動軸を中心として前記第一方向とは反対の第二方向に回動することにより第二スイッチを操作するように構成されている第一ボタン部材と、
その一部が前記開口部を通じて露出しており、前記第一回動軸と交差する方向に前記第一ボタン部材とは独立して変位することにより第三スイッチを操作するように構成されている第二ボタン部材と、
を備えており、
前記第二ボタン部材の第一部分は、前記第一ボタン部材における前記開口部を区画する第一縁部と対向可能であり、
前記第二ボタン部材の前記第一部分の前記第一面内における断面は、前記第一回動軸を中心とする円弧に対応する形状の部分を有しており、
前記第一ボタン部材は、第二回動軸を有しており、
前記第一ボタン部材は、前記第二回動軸に直交する第二面内において当該第二回動軸を中心として前記第一方向および前記第二方向と異なる第三方向に回動することにより第四スイッチを操作し、当該第二回動軸を中心として前記第三方向とは反対の第四方向に回動することにより第五スイッチ操作するように構成されており、
前記第二ボタン部材の第二部分は、前記第一ボタン部材における前記開口部を区画する第二縁部と対向可能であり、
前記第二ボタン部材の前記第二部分の前記第二面内における断面は、前記第二回動軸を中心とする円弧に対応する形状の部分を有している、
スイッチ装置。
【請求項２】
前記第二ボタン部材の前記第一部分は、隙間を介して前記開口部の前記第一縁部と対向している、
請求項１に記載のスイッチ装置。
【請求項３】
前記第二ボタン部材の前記第二部分は、隙間を介して前記開口部の前記第二縁部と対向している、
請求項１に記載のスイッチ装置。
【請求項４】
前記第一ボタン部材と前記第二ボタン部材の少なくとも一方に覆われる位置に設けられた光源を備えている、
請求項１から３のいずれか一項に記載のスイッチ装置。
【発明の詳細な説明】
【技術分野】
【０００１】
本発明は、スイッチ装置に関する。
【背景技術】
【０００２】
特許文献１に記載されたスイッチ装置は、シーソボタン、プッシュボタン、および三つのスイッチユニットを備えている。シーソボタンは、回動軸と開口部を有している。シーソボタンは、当該回動軸に直交する面内において当該回動軸を中心として第一方向に回動することにより、第一のスイッチユニットを操作可能とされている。また、シーソボタンは、当該回動軸を中心として第一方向とは反対の第二方向に回動することにより、第二のスイッチユニットを操作可能とされている。プッシュボタンの一部は、シーソボタンの開口部を通じて露出するように配置される。プッシュボタンは、上記回動軸と交差する方向にシーソボタンとは独立して変位可能とされている。プッシュボタンの変位に伴い、第三のスイッチユニットが操作可能とされている。
【先行技術文献】
【特許文献】
【０００３】
【特許文献１】特開２００３−０６８１７０号公報
【発明の概要】
【発明が解決しようとする課題】
【０００４】
特許文献１に記載されたスイッチ装置においては、シーソボタンの回動に伴ってプッシュボタンの姿勢が変化しない。したがって、シーソボタンが傾くにつれて、プッシュボタンの一部が露出している開口部の縁の一部がプッシュボタンに接近する。そのため、開口部の縁の一部がプッシュボタンに当接してシーソボタンの回動を妨げないように、シーソボタンの回動量に鑑みた比較的大きな隙間が、開口部の縁とプッシュボタンの間に形成される必要がある。
【０００５】
このような隙間は、スイッチ装置の内部に水や埃が侵入する経路となりうる。シーソボタンの操作感を確保するためにストローク量を大きくするほど、開口部の縁のプッシュボタンの間に形成される隙間は大きくなり、水や埃が侵入しやすくなる。
【０００６】
本発明は、操作感を確保しつつも、スイッチ装置内部への水や埃の侵入を抑制することを目的とする。
【課題を解決するための手段】
【０００７】
上記の目的を達成するために、本発明がとりうる一態様は、スイッチ装置であって、
第一回動軸と開口部を有しており、当該第一回動軸に直交する第一面内において当該第一回動軸を中心として第一方向に回動することにより第一スイッチを操作し、当該第一回動軸を中心として前記第一方向とは反対の第二方向に回動することにより第二スイッチを操作するように構成されている第一ボタン部材と、
その一部が前記開口部を通じて露出しており、前記第一回動軸と交差する方向に前記第一ボタン部材とは独立して変位することにより第三スイッチを操作するように構成されている第二ボタン部材と、
を備えており、
前記第二ボタン部材の第一部分は、前記第一ボタン部材における前記開口部を区画する第一縁部と対向可能であり、
前記第二ボタン部材の前記第一部分の前記第一面内における断面は、前記第一回動軸を中心とする円弧に対応する形状の部分を有している。
【０００８】
このような構成によれば、第一縁部を、対向する弧状の第一部分に沿うような形状にできる。これにより、例えば、開口部の上端における口径を、下端における口径よりも小さくできる。あるいは、第一縁部の形状を、対応する第一部分との距離が第一ボタン部材の回動に伴って変化しないようにできる。したがって、第一ボタン部材のストロークを大きくして操作感を確保しても、第一ボタン部材と第二ボタン部材の隙間を通じた水や埃の侵入を抑制できる。
【０００９】
上記のスイッチ装置は、以下のように構成されうる。
前記第二ボタン部材の前記第一部分は、隙間を介して前記開口部の前記第一縁部と対向している。
【００１０】
このような構成によれば、第一ボタン部材と第二ボタン部材の間に摩擦が生じないため、第二ボタン部材に対する第一ボタン部材の相対変位が円滑になされる。このような隙間が存在していたとしても、前述のようにスイッチ装置の内部への水や埃の侵入を抑制できる。
【００１１】
上記のスイッチ装置は、以下のように構成されうる。
前記第一ボタン部材は、第二回動軸を有しており、
前記第一ボタン部材は、前記第二回動軸に直交する第二面内において当該第二回動軸を中心として前記第一方向および前記第二方向と異なる第三方向に回動することにより第四スイッチを操作し、当該第二回動軸を中心として前記第三方向とは反対の第四方向に回動することにより第五スイッチ操作するように構成されており、
前記第二ボタン部材の第二部分は、前記第一ボタン部材における前記開口部を区画する第二縁部と対向可能であり、
前記第二ボタン部材の前記第二部分の前記第二面内における断面は、前記第二回動軸を中心とする円弧に対応する形状の部分を有している。
【００１２】
このような構成によれば、第一ボタン部材を四方向スイッチの入力手段として構成できる。このとき、第二縁部を、対向する弧状の第二部分に沿うような形状にできる。これにより、例えば、開口部の上端における口径を、下端における口径よりも小さくできる。あるいは、第二縁部の形状を、対応する第二部分との距離が第一ボタン部材の回動に伴って変化しないようにできる。したがって、第一ボタン部材のストロークを大きくして操作感を確保しても、第一ボタン部材と第二ボタン部材の隙間を通じた水や埃の侵入を抑制できる。
【００１３】
上記のスイッチ装置は、以下のように構成されうる。
前記第二ボタン部材の前記第二部分は、隙間を介して前記開口部の前記第二縁部と対向している。
【００１４】
このような構成によれば、第一ボタン部材と第二ボタン部材の間に摩擦が生じないため、第二ボタン部材に対する第一ボタン部材の相対変位が円滑になされる。このような隙間が存在していたとしても、前述のように四方向スイッチ装置の内部への水や埃の侵入を抑制できる。
【００１５】
上記のスイッチ装置は、以下のように構成されうる。
前記第一ボタン部材と前記第二ボタン部材の少なくとも一方に覆われる位置に設けられた光源を備えている。
【００１６】
この場合、例えば、第一ボタン部材の一部を透光性の材料で形成し、光源から出射された光で当該透光性部分を発光させることができる。このような用途においても、上述のように、特に第一ボタン部材の初期状態において第二ボタン部材との隙間を最小限にできるため、当該隙間を通じた不必要な漏光を抑制できる。
【発明の効果】
【００１７】
本発明によれば、操作感を確保しつつも、スイッチ装置内部への水や埃の侵入を抑制できる。
【図面の簡単な説明】
【００１８】
【図１】一実施形態に係るスイッチ装置の外観を示す図である。
【図２】上記スイッチにおけるシーソボタンの動作を説明する図である。
【図３】上記スイッチにおけるシーソボタンの動作を説明する図である。
【図４】上記スイッチ装置におけるプッシュボタンの動作を説明する図である。
【図５】上記スイッチ装置におけるプッシュボタンの形状を説明する図である。
【発明を実施するための形態】
【００１９】
添付の図面を参照しつつ、本発明の実施形態例について以下詳細に説明する。以下の説明に用いる各図面では、各部材を認識可能な大きさとするために縮尺を適宜変更している。「前後」「左右」「上下」という表現は、説明の便宜のために用いており、実際の使用状態における姿勢や方向を限定する意図はない。
【００２０】
図１は、一実施形態に係るスイッチ装置１の外観を示している。図２の（Ａ）は、図１における線II−IIに沿ってスイッチ装置１の一部を矢印方向から見た断面図である。図３の（Ａ）は、図１における線III−IIIに沿ってスイッチ装置１の一部を矢印方向から見た断面図である。
【００２１】
スイッチ装置１は、回路基板２を備えている。回路基板２の表面には、回路が形成されている。図２の（Ａ）に示されるように、当該回路は、第一接点対２１、第二接点対２２、および第三接点対２３を含んでいる。図３の（Ａ）に示されるように、当該回路は、第四接点対２４と第五接点対２５も含んでいる。
【００２２】
スイッチ装置１は、アクチュエータユニット３を備えている。図２の（Ａ）に示されるように、アクチュエータユニット３は、第一アクチュエータ３１、第二アクチュエータ３２、および第三アクチュエータ３３を備えている。図３の（Ａ）に示されるように、アクチュエータユニット３は、第四アクチュエータ３４と第五アクチュエータ３５も備えている。第一アクチュエータ３１、第二アクチュエータ３２、第三アクチュエータ３３、第四アクチュエータ３４、および第五アクチュエータ３５は、ゴムなどの弾性復帰力を有する材料により形成されている。
【００２３】
第一アクチュエータ３１の下面には、導電材料からなる第一導電部３１ａが設けられている。第一アクチュエータ３１は、回路基板２の第一接点対２１と対向するように配置されている。初期状態において、第一導電部３１ａと第一接点対２１は、離間している。
【００２４】
第二アクチュエータ３２の下面には、導電材料からなる第二導電部３２ａが設けられている。第二アクチュエータ３２は、回路基板２の第二接点対２２と対向するように配置されている。初期状態において、第二導電部３２ａと第二接点対２２は、離間している。
【００２５】
第三アクチュエータ３３の下面には、導電材料からなる第三導電部３３ａが設けられている。第三アクチュエータ３３は、回路基板２の第三接点対２３と対向するように配置されている。初期状態において、第三導電部３３ａと第三接点対２３は、離間している。
【００２６】
第四アクチュエータ３４の下面には、導電材料からなる第四導電部３４ａが設けられている。第四アクチュエータ３４は、回路基板２の第四接点対２４と対向するように配置されている。初期状態において、第四導電部３４ａと第四接点対２４は、離間している。
【００２７】
第五アクチュエータ３５の下面には、導電材料からなる第五導電部３５ａが設けられている。第五アクチュエータ３５は、回路基板２の第五接点対２５と対向するように配置されている。初期状態において、第五導電部３５ａと第五接点対２５は、離間している。
【００２８】
スイッチ装置１は、中央支持部４を備えている。中央支持部４は、円筒状の内壁部４１を備えている。図２の（Ａ）に示されるように、内壁部４１は、その径方向内側に中空部４２を区画している。第三アクチュエータ３３は、中空部４２に収容されている。図３の（Ａ）に示されるように、中央支持部４は、外壁部４３を備えている。外壁部４３は、内壁部４１の径方向外側の一部に配置されている。外壁部４３は、径方向外側に向けて開口する一対の孔４３ａを有している。
【００２９】
スイッチ装置１は、シーソボタン５（第一ボタン部材の一例）を備えている。シーソボタン５は、内側ホルダ５１、押圧部材５２、および外側カバー５３を備えている。
【００３０】
内側ホルダ５１は、中央支持部４の径方向外側に配置されている。図３の（Ａ）に示されるように、内側ホルダ５１は、一対の第一軸部５１ａを備えている。一対の第一軸部５１ａは、中央支持部４の径方向内側に向かって突出している。一対の第一軸部５１ａは、中央支持部４の外壁部４３に形成された一対の孔４３ａと嵌合している。各第一軸部５１ａは、対応する孔４３ａの内部で回動可能とされている。これにより、内側ホルダ５１は、第一回動軸Ａ１を中心として中央支持部４（外壁部４３）に対して回動可能とされている。すなわち、図２の（Ａ）は、第一回動軸Ａ１に直交する断面を示している。
【００３１】
押圧部材５２は、内側ホルダ５１を包囲するように配置されている。図２の（Ａ）に示されるように、押圧部材５２は、中央支持部４の径方向内側へ向けて開口する一対の孔５２ａを有している。他方、内側ホルダ５１は、一対の第二軸部５１ｂを備えている。一対の第二軸部５１ｂは、中央支持部４の径方向外側に向かって突出している。一対の第二軸部５１ｂは、押圧部材５２に形成された一対の孔５２ａと嵌合している。各第二軸部５１ｂは、対応する孔５２ａの内部で回動可能とされている。これにより、押圧部材５２は、第二回動軸Ａ２を中心として内側ホルダ５１に対して回動可能とされている。すなわち、図３の（Ａ）は、第二回動軸Ａ２に直交する断面を示している。
【００３２】
外側カバー５３は、内側ホルダ５１と押圧部材５２を覆うように配置されている。外側カバー５３は、開口部５３ａを有している。開口部５３ａは、外側カバー５３の中央部において、上下方向に開口している。
【００３３】
スイッチ装置１は、プッシュボタン６（第二ボタン部材の一例）を備えている。プッシュボタン６は、半球状の操作入力部６１と押圧部６２を備えている。操作入力部６１の一部は、シーソボタン５の開口部５３ａを通じて露出している。押圧部６２は、操作入力部６１から下方に延びている。押圧部６２の一部は、中央支持部４の中空部４２に収容されている。押圧部６２の下面は、第三アクチュエータ３３に対向している。
【００３４】
図２の（Ａ）に示されるように、外側カバー５３は、第一操作入力部５３ｂと第二操作入力部５３ｃを備えている。他方、押圧部材５２は、第一押圧部５２ｂと第二押圧部５２ｃを備えている。第一操作入力部５３ｂは、第一押圧部５２ｂの上面に対向している。第一押圧部５２ｂの下面は、第一アクチュエータ３１と対向している。第二操作入力部５３ｃは、第二押圧部５２ｃの上面に対向している。第二押圧部５２ｃの下面は、第二アクチュエータ３２と対向している。
【００３５】
図３の（Ａ）に示されるように、外側カバー５３は、第三操作入力部５３ｄと第四操作入力部５３ｅを備えている。他方、押圧部材５２は、第三押圧部５２ｄと第四押圧部５２ｅを備えている。第三操作入力部５３ｄは、第三押圧部５２ｄの上面に対向している。第三押圧部５２ｄの下面は、第四アクチュエータ３４と対向している。第四操作入力部５３ｅは、第四押圧部５２ｅの上面に対向している。第四押圧部５２ｅの下面は、第五アクチュエータ３５と対向している。
【００３６】
次に、以上のように構成されたスイッチ装置１の動作について説明する。
【００３７】
図２の（Ａ）に示される初期状態において、シーソボタン５の第一操作入力部５３ｂが下方へ押圧されると、図２の（Ｂ）に示されるように、シーソボタン５は、第一回動軸Ａ１に直交する面（第一面の一例）内において第一回動軸Ａ１を中心として時計回りに（第一方向の一例）回動する。これにより、第一押圧部５２ｂは、第一アクチュエータ３１を弾性変形させつつ下方へ変位させる。第一アクチュエータ３１の第一導電部３１ａが回路基板２上の第一接点対２１に接触すると、第一接点対２１が第一導電部３１ａを介して電気的に接続される。スイッチ装置１は、第一操作入力部５３ｂの操作に対応する機能を実現するための信号を出力する。すなわち、第一アクチュエータ３１と第一接点対２１は、第一スイッチを構成する。
【００３８】
第一操作入力部５３ｂの押圧が解除されると、第一アクチュエータ３１の弾性復帰力により第一押圧部５２ｂが押し上げられ、シーソボタン５は初期状態に復帰する。スイッチ装置１は、第一操作入力部５３ｂの操作に対応する信号の出力を停止する。第一操作入力部５３ｂの操作に伴うシーソボタン５の一連の動作中において、プッシュボタン６の位置と姿勢に変化はない。
【００３９】
図２の（Ａ）に示される初期状態において、シーソボタン５の第二操作入力部５３ｃが下方へ押圧されると、シーソボタン５は、第一回動軸Ａ１に直交する面内において第一回動軸Ａ１を中心として反時計回りに（第二方向の一例）回動する。これにより、第二押圧部５２ｃは、第二アクチュエータ３２を弾性変形させつつ下方へ変位させる。第二アクチュエータ３２の第二導電部３２ａが回路基板２上の第二接点対２２に接触すると、第二接点対２２が第二導電部３２ａを介して電気的に接続される。スイッチ装置１は、第二操作入力部５３ｃの操作に対応する機能を実現するための信号を出力する。すなわち、第二アクチュエータ３２と第二接点対２２は、第二スイッチを構成する。
【００４０】
第二操作入力部５３ｃの押圧が解除されると、第二アクチュエータ３２の弾性復帰力により第二押圧部５２ｃが押し上げられ、シーソボタン５は初期状態に復帰する。スイッチ装置１は、第二操作入力部５３ｃの操作に対応する信号の出力を停止する。第二操作入力部５３ｃの操作に伴うシーソボタン５の一連の動作中において、プッシュボタン６の位置と姿勢に変化はない。
【００４１】
図４の（Ａ）は、図２の（Ａ）と同じく、図１における線II−IIに沿ってスイッチ装置１の一部を矢印方向から見た断面図である。図４の（Ａ）に示される初期状態において、プッシュボタン６の操作入力部６１が下方へ押圧されると、図４の（Ｂ）に示されるように、プッシュボタン６は、第一回動軸Ａ１と交差する向きである下方へ、シーソボタン５とは独立して変位する。これにより、プッシュボタンの押圧部６２は、第三アクチュエータ３３を弾性変形させつつ下方へ変位させる。第三アクチュエータ３３の第三導電部３３ａが回路基板２上の第三接点対２３に接触すると、第三接点対２３が第三導電部３３ａを介して電気的に接続される。スイッチ装置１は、操作入力部６１の操作に対応する機能を実現するための信号を出力する。すなわち、第三アクチュエータ３３と第三接点対２３は、第三スイッチを構成する。
【００４２】
操作入力部６１の押圧が解除されると、第三アクチュエータ３３の弾性復帰力により押圧部６２が押し上げられ、プッシュボタン６は初期状態に復帰する。スイッチ装置１は、操作入力部６１の操作に対応する信号の出力を停止する。操作入力部６１の操作に伴うプッシュボタン６の一連の動作中において、シーソボタン５の位置と姿勢に変化はない。
【００４３】
図５の（Ａ）は、図２の（Ａ）に対応する断面図（すなわち、回転軸Ａ１に直交する断面図）であり、シーソボタン５とプッシュボタン６を拡大して示している。同図においては、開口部５３ａを区画する一対の第一縁部５３ｆが、断面に現れている。
【００４４】
プッシュボタン６の操作入力部６１の外表面は、一対の第一部分６１ａを含んでいる。第一部分６１ａは、操作入力部６１の外表面のうち、同図における矢印Ｒ１とＲ２に挟まれた部分、および矢印Ｒ３とＲ４に挟まれた部分である。一対の第一部分６１ａは、回転軸Ａ１を中心とするシーソボタン５の回動時において、一対の第一縁部５３ｆと対向可能な部分である。
【００４５】
矢印Ｒ１〜Ｒ４は、それぞれ第一回動軸Ａ１を中心とする円弧の半径に対応している。すなわち、本断面図において、一対の第一部分６１ａの各々は、第一回動軸Ａ１を中心とする円弧に対応する形状を有している。
【００４６】
このような構成によれば、各第一縁部５３ｆを、対向する弧状の第一部分６１ａに沿うような形状にできる。例えば、図５の（Ａ）に示されるように、同断面内における一対の第一縁部５３ｆの上端部同士の距離を、同断面内における一対の第一縁部５３ｆの下端部同士の距離よりも小さくできる。あるいは、やはり図５の（Ａ）に示されるように、各第一縁部５３ｆの形状を、対応する第一部分６１ａとの距離がシーソボタン５の回動に伴って変化しないようにできる。したがって、第一操作入力部５３ｂや第二操作入力部５３ｃの操作に伴うシーソボタン５のストロークを大きくして操作感を確保しても、シーソボタン５とプッシュボタン６の隙間を通じた水や埃の侵入を抑制できる。
【００４７】
図５の（Ａ）に示されるように、本実施形態においては、一対の第一部分６１ａは、隙間を介して一対の第一縁部５３ｆと対向している。
【００４８】
このような構成によれば、プッシュボタン６とシーソボタン５の間に摩擦が生じないため、プッシュボタン６に対するシーソボタン５の相対変位が円滑になされる。このような隙間が存在していたとしても、前述のようにスイッチ装置１の内部への水や埃の侵入を抑制できる。
【００４９】
しかしながら、水や埃の侵入をより抑制するために、一対の第一部分６１ａと一対の第一縁部５３ｆが摺接しつつシーソボタン５が回動する構成も採用されうる。
【００５０】
図３の（Ａ）に示される初期状態において、シーソボタン５の第三操作入力部５３ｄが下方へ押圧されると、図３の（Ｂ）に示されるように、シーソボタン５は、第二回動軸Ａ２に直交する面（第二面の一例）内において第二回動軸Ａ２を中心として時計回りに（第三方向の一例）回動する。これにより、第三押圧部５２ｄは、第四アクチュエータ３４を弾性変形させつつ下方へ変位させる。第四アクチュエータ３４の第四導電部３４ａが回路基板２上の第四接点対２４に接触すると、第四接点対２４が第四導電部３４ａを介して電気的に接続される。スイッチ装置１は、第三操作入力部５３ｄの操作に対応する機能を実現するための信号を出力する。すなわち、第四アクチュエータ３４と第四接点対２４は、第四スイッチを構成する。
【００５１】
第三操作入力部５３ｄの押圧が解除されると、第四アクチュエータ３４の弾性復帰力により第三押圧部５２ｄが押し上げられ、シーソボタン５は初期状態に復帰する。スイッチ装置１は、第三操作入力部５３ｄの操作に対応する信号の出力を停止する。第三操作入力部５３ｄの操作に伴うシーソボタン５の一連の動作中において、プッシュボタン６の位置と姿勢に変化はない。
【００５２】
図３の（Ａ）に示される初期状態において、シーソボタン５の第四操作入力部５３ｅが下方へ押圧されると、図３の（Ｂ）に示されるように、シーソボタン５は、第二回動軸Ａ２に直交する面内において第二回動軸Ａ２を中心として反時計回りに（第四方向の一例）回動する。これにより、第四押圧部５２ｅは、第五アクチュエータ３５を弾性変形させつつ下方へ変位させる。第五アクチュエータ３５の第五導電部３５ａが回路基板２上の第五接点対２５に接触すると、第五接点対２５が第五導電部３５ａを介して電気的に接続される。スイッチ装置１は、第四操作入力部５３ｅの操作に対応する機能を実現するための信号を出力する。すなわち、第五アクチュエータ３５と第五接点対２５は、第五スイッチを構成する。
【００５３】
第四操作入力部５３ｅの押圧が解除されると、第五アクチュエータ３５の弾性復帰力により第四押圧部５２ｅが押し上げられ、シーソボタン５は初期状態に復帰する。スイッチ装置１は、第四操作入力部５３ｅの操作に対応する信号の出力を停止する。第四操作入力部５３ｅの操作に伴うシーソボタン５の一連の動作中において、プッシュボタン６の位置と姿勢に変化はない。
【００５４】
図５の（Ｂ）は、図３の（Ａ）に対応する断面図（すなわち、回転軸Ａ２に直交する断面図）であり、シーソボタン５とプッシュボタン６を拡大して示している。同図においては、開口部５３ａを区画する一対の第二縁部５３ｇが、断面に現れている。
【００５５】
プッシュボタン６の操作入力部６１の外表面は、一対の第二部分６１ｂを含んでいる。第二部分６１ｂは、操作入力部６１の外表面のうち、同図における矢印Ｒ５とＲ６に挟まれた部分、および矢印Ｒ７とＲ８に挟まれた部分である。一対の第二部分６１ｂは、回転軸Ａ２を中心とするシーソボタン５の回動時において、一対の第二縁部５３ｇと対向可能な部分である。
【００５６】
矢印Ｒ５〜Ｒ８は、それぞれ第二回動軸Ａ２を中心とする円弧の半径に対応している。すなわち、本断面図において、一対の第二部分６１ｂの各々は、第二回動軸Ａ２を中心とする円弧に対応する形状を有している。
【００５７】
このような構成によれば、シーソボタン５を四方向スイッチの入力手段として構成できる。このとき、各第二縁部５３ｇを、対向する弧状の第二部分６１ｂに沿うような形状にできる。例えば、図５の（Ｂ）に示されるように、同断面内における一対の第二縁部５３ｇの上端部同士の距離を、同断面内における一対の第二縁部５３ｇの下端部同士の距離よりも小さくできる。あるいは、やはり図５の（Ｂ）に示されるように、各第二縁部５３ｇの形状を、対応する第二部分６１ｂとの距離がシーソボタン５の回動に伴って変化しないようにできる。したがって、第三操作入力部５３ｄや第四操作入力部５３ｅの操作に伴うシーソボタン５のストロークを大きくして操作感を確保しても、シーソボタン５とプッシュボタン６の隙間を通じた水や埃の侵入を抑制できる。
【００５８】
図５の（Ｂ）に示されるように、本実施形態においては、一対の第二部分６１ｂは、隙間を介して一対の第二縁部５３ｇと対向している。
【００５９】
このような構成によれば、プッシュボタン６とシーソボタン５の間に摩擦が生じないため、プッシュボタン６に対するシーソボタン５の相対変位が円滑になされる。このような隙間が存在していたとしても、前述のようにスイッチ装置１の内部への水や埃の侵入を抑制できる。
【００６０】
しかしながら、水や埃の侵入をより抑制するために、一対の第二部分６１ｂと一対の第二縁部５３ｇが摺接しつつシーソボタン５が回動する構成も採用されうる。
【００６１】
上記の実施形態は、本発明の理解を容易にするための例示にすぎない。上記の実施形態に係る構成は、本発明の趣旨を逸脱しなければ、適宜に変更・改良されうる。また、等価物が本発明の技術的範囲に含まれることは明らかである。
【００６２】
スイッチ装置１は、光源を備えうる。光源の例としては、白熱灯のようなランプ光源、発光ダイオードや有機ＥＬ素子のような半導体発光素子などが挙げられる。光源は、シーソボタン５とプッシュボタン６の少なくとも一方に覆われる位置に配置されうる。当該位置の例としては、回路基板２上、中央支持部４の中空部４２、押圧部材５２に形成された隙間などが挙げられる。
【００６３】
この場合、例えば、図１に示されるシーソボタン５の外側カバー５３の上面に設けられた機能指標５３ｈは、透光性の材料で形成されうる。光源から出射された光により透光性の機能指標５３ｈを発光させ、ユーザに与える視認性と高級感を向上できる。このような構成においても、上述のように、特にシーソボタン５の初期状態においてプッシュボタン６との隙間を最小限にできるため、当該隙間を通じた不必要な漏光を抑制できる。
【００６４】
上記の実施形態においては、第一回動軸Ａ１を中心とするシーソボタン５の回動を実現するために、中央支持部４の外壁部４３に一対の孔４３ａが形成され、シーソボタン５の内側ホルダ５１に一対の第一軸部５１ａが形成されている。しかしながら、第一回動軸Ａ１を中心とするシーソボタン５の回動を実現できれば、外壁部４３の側に一対の第一軸部が形成され、内側ホルダ５１の側に一対の孔が形成される構成も採用されうる。
【００６５】
上記の実施形態においては、第二回動軸Ａ２を中心とするシーソボタン５の回動を実現するために、シーソボタン５の押圧部材５２に一対の孔５２ａが形成され、内側ホルダ５１に一対の第二軸部５１ｂが形成されている。しかしながら、第二回動軸Ａ２を中心とするシーソボタン５の回動を実現できれば、押圧部材５２の側に一対の第二軸部が形成され、内側ホルダ５１側に一対の孔が形成される構成も採用されうる。
【００６６】
上記の実施形態においては、プッシュボタン６の操作入力部６１の外表面のうち、一対の第一部分６１ａと一対の第二部分６１ｂ以外の部分も、それぞれ回動軸Ａ１、Ａ２を中心とする円弧に対応する形状を有している。結果として、上述のように、操作入力部６１は、全体として半球形状を呈している。しかしながら、プッシュボタン６の変位による第三アクチュエータ３３の操作を実現できれば、第一部分６１ａ以外の部分（図５の（Ａ）において矢印Ｒ２とＲ４に挟まれた部分）、および第二部分６１ｂ以外の部分（図５の（Ｂ）において矢印Ｒ６とＲ８に挟まれた部分）の形状は任意に定められうる。
【００６７】
上記の実施形態においては、シーソボタン５は、回動軸Ａ１とＡ２を中心とする回動が可能とされることにより、四方向スイッチの入力手段として構成されている。しかしながら、シーソボタン５は、回動軸Ａ１とＡ２の一方のみについて回動可能な二方向スイッチの入力手段として構成されてもよい。この場合、内側ホルダ５１に相当する構造を省略できる。
【符号の説明】
【００６８】
１：スイッチ装置、２１：第一接点対、２２：第二接点対、２３：第三接点対、２４：第四接点対、２５：第五接点対、３１：第一アクチュエータ、３２：第二アクチュエータ、３３：第三アクチュエータ、３４：第四アクチュエータ、３５：第五アクチュエータ、５：シーソボタン、５１ａ：第一軸部、５１ｂ：第二軸部、５３ａ：開口部、５３ｆ：第一縁部、５３ｇ：第二縁部、６：プッシュボタン、６１ａ：第一部分、６１ｂ：第二部分、Ａ１：第一回動軸、Ａ２：第二回動軸
【図１】
0006619961.tif 000002
【図２】
0006619961.tif 000003
【図３】
0006619961.tif 000004
【図４】
0006619961.tif 000005
【図５】
0006619961.tif 000006